(57)【要約】      （修正有）【課題】小型化を図ることができる衛生洗浄装置を提供する。【解決手段】衛生洗浄装置は、ケーシングと、ケーシング内に設けられ便鉢脱臭およびトイレルーム脱臭を行う脱臭ユニット４０とを備える。脱臭ユニットは、送風部４３と、第１ダクト４１１と、第１脱臭フィルタ４１２と、第２ダクト４２１と、第２脱臭フィルタ４２２と、ダンパ４４とを備える。送風部は、１つであり、空気を吸引する。第１ダクトは、送風部に吸引された空気を第１排気口４１３へ導く。第１脱臭フィルタは、第１ダクト内に設けられ便鉢内の空気を脱臭する。第２ダクトは、第１ダクトとは別の風路であり、送風部に吸引された空気を第２排気口４２３へ導く。第２脱臭フィルタは、第２ダクト内に設けられトイレルーム内の空気を脱臭する。ダンパは、第１脱臭フィルタおよび第２脱臭フィルタよりも上流に設けられ第１ダクトまたは第２ダクトの少なくとも一部を閉鎖する。【選択図】図５
2020051148.tif 000002
【特許請求の範囲】
【請求項１】
ケーシングと、
前記ケーシング内に設けられ、便鉢脱臭およびトイレルーム脱臭を行う脱臭ユニットと
を備え、
前記脱臭ユニットは、
空気を吸引する１つの送風部と、
前記送風部によって吸引された空気を第１排気口へ導く第１ダクトと、
前記第１ダクト内に設けられ、便鉢内の空気を脱臭する第１脱臭フィルタと、
前記第１ダクトとは別の風路を形成し、前記送風部によって吸引された空気を第２排気口へ導く第２ダクトと、
前記第２ダクト内に設けられ、トイレルーム内の空気を脱臭する第２脱臭フィルタと、
前記第１脱臭フィルタおよび前記第２脱臭フィルタよりも空気の流れ方向の上流に設けられ、前記第１ダクトまたは前記第２ダクトの少なくとも一部を閉鎖するように駆動されるダンパと
を備えること
を特徴とする衛生洗浄装置。
【請求項２】
便器に人が着座したことを検知する着座検知センサ
を備え、
前記ダンパは、
前記着座検知センサが着座を検知しない場合に前記第１ダクトを閉鎖し、前記着座検知センサが着座を検知した場合に前記第２ダクトを閉鎖すること
を特徴とする請求項１に記載の衛生洗浄装置。
【請求項３】
前記送風部は、
前記着座検知センサが着座を検知すると、空気を吸引している場合には、空気の吸引を停止し、前記ダンパが前記第２ダクトの閉鎖が完了してから空気の吸引を再開すること
を特徴とする請求項２に記載の衛生洗浄装置。
【請求項４】
前記ダンパは、
前記第１ダクトを閉鎖するよう常時付勢され、前記着座検知センサが着座を検知した場合に前記第２ダクトを閉鎖するよう駆動されること
を特徴とする請求項２または３に記載の衛生洗浄装置。
【請求項５】
前記送風部における空気の出口が前記第１脱臭フィルタへ向けて開口していること
を特徴とする請求項１〜４のいずれか一つに記載の衛生洗浄装置。
【請求項６】
前記第２ダクトは、
前記ダンパよりも前記空気の流れ方向の下流において風路が狭められていること
を特徴とする請求項１〜５のいずれか一つに記載の衛生洗浄装置。
【請求項７】
ケーシングと、
前記ケーシング内に設けられ、便鉢脱臭およびトイレルーム脱臭を行う脱臭ユニットと
を備え、
前記脱臭ユニットは、
空気を吸引する１つの送風部と、
前記送風部によって吸引された空気を排気口へ導くダクトと、
前記ダクト内に設けられ、便鉢内の空気を脱臭する第１脱臭フィルタと、
前記ダクト内における前記第１脱臭フィルタよりも空気の流れ方向の上流または下流に設けられ、トイレルーム内の空気を脱臭する第２脱臭フィルタと
を備えること
を特徴とする衛生洗浄装置。
【請求項８】
前記第２脱臭フィルタは、
前記ダクト内における前記第１脱臭フィルタよりも前記空気の流れ方向の下流に設けられ、前記第１脱臭フィルタよりも目が粗いこと
を特徴とする請求項７に記載の衛生洗浄装置。
【請求項９】
便蓋と、
前記便蓋を開閉する電動開閉ユニットと
をさらに備え、
前記電動開閉ユニットは、
前記送風部から前記第２脱臭フィルタへ向けて空気が流れる場合には前記便蓋を開放し、
前記脱臭ユニットは、
前記送風部における前記空気の流れ方向の上流に設けられ、前記便鉢内において開口する１つの吸気口
を備えること
を特徴とする請求項１〜８のいずれか一つに記載の衛生洗浄装置。
【請求項１０】
前記脱臭ユニットは、
前記送風部における前記空気の流れ方向の上流に設けられ、前記便鉢内において開口する第１吸気口と、
前記送風部における前記空気の流れ方向の上流に設けられ、前記トイレルームへ向けて開口する第２吸気口と、
前記送風部から前記第２脱臭フィルタへ向けて空気が流れる場合には前記第１吸気口を閉鎖するシャッタと
を備えること
を特徴とする請求項１〜８のいずれか一つに記載の衛生洗浄装置。
【発明の詳細な説明】
【技術分野】
【０００１】
開示の実施形態は、衛生洗浄装置に関する。
【背景技術】
【０００２】
従来、便器に取り付けられ使用者の局部を洗浄する衛生洗浄装置において、便鉢脱臭を行う脱臭装置およびトイレルーム脱臭を行う脱臭装置の２種類の脱臭装置を備えることが知られている（たとえば、特許文献１参照）。
【０００３】
２種類の脱臭装置のうち、便鉢脱臭を行う脱臭装置は、大便臭を分解するフィルタを備え、トイレルーム脱臭を行う脱臭装置は、電解水によってトイレルーム内のアンモニア臭などの常在臭を吸着して捕集するフィルタを備える。２種類の脱臭装置は、それぞれの送風部によって各フィルタに空気を送り込み、脱臭を行う。
【先行技術文献】
【特許文献】
【０００４】
【特許文献１】特開２０１８−３１２１０号公報
【発明の概要】
【発明が解決しようとする課題】
【０００５】
しかしながら、上記したような従来の衛生洗浄装置は、２種類の脱臭装置（便鉢脱臭を行う脱臭装置およびトイレルーム脱臭を行う脱臭装置）がケーシング内にそれぞれ設けられるためこれらを配置するスペースが必要となり、小型化が困難なものであった。
【０００６】
実施形態の一態様は、小型化を図ることができる衛生洗浄装置を提供することを目的とする。
【課題を解決するための手段】
【０００７】
実施形態の一態様に係る衛生洗浄装置は、ケーシングと、前記ケーシング内に設けられ、便鉢脱臭およびトイレルーム脱臭を行う脱臭ユニットとを備え、前記脱臭ユニットは、空気を吸引する１つの送風部と、前記送風部によって吸引された空気を第１排気口へ導く第１ダクトと、前記第１ダクト内に設けられ、便鉢内の空気を脱臭する第１脱臭フィルタと、前記第１ダクトとは別の風路を形成し、前記送風部によって吸引された空気を第２排気口へ導く第２ダクトと、前記第２ダクト内に設けられ、トイレルーム内の空気を脱臭する第２脱臭フィルタと、前記第１脱臭フィルタおよび前記第２脱臭フィルタよりも空気の流れ方向の上流に設けられ、前記第１ダクトまたは前記第２ダクトの少なくとも一部を閉鎖するように駆動されるダンパとを備えることを特徴とする。
【０００８】
かかる構成によれば、便鉢脱臭およびトイレルーム脱臭において送風部が共用化されることで、送風部を１つ設ければ済むため、脱臭ユニットを小型化することができる。これにより、装置全体の小型化を図ることができる。
【０００９】
また、上記した衛生洗浄装置では、前記便器に人が着座したことを検知する着座検知センサを備え、前記ダンパは、前記着座検知センサが着座を検知しない場合に前記第１ダクトを閉鎖し、前記着座検知センサが着座を検知した場合に前記第２ダクトを閉鎖することを特徴とする。
【００１０】
かかる構成によれば、着座検知センサが着座を検知しない場合にはトイレルーム脱臭を行える状態でダンパが第１ダクトを閉鎖し、着座検知センサが着座を検知した場合のみ、すなわち、便鉢脱臭を行う場合のみダンパが動作すればよいため、ダンパの動作回数を抑えることができる。
【００１１】
また、上記した衛生洗浄装置では、前記送風部は、前記着座検知センサが着座を検知すると、空気を吸引している場合には、空気の吸引を停止し、前記ダンパが前記第２ダクトの閉鎖が完了してから空気の吸引を再開することを特徴とする。
【００１２】
かかる構成によれば、送風部による空気の吸引中にはダンパが動作しないため、騒音の発生を抑えることができる。
【００１３】
また、上記した衛生洗浄装置では、前記ダンパは、前記第１ダクトを閉鎖するよう常時付勢され、前記着座検知センサが着座を検知した場合に前記第２ダクトを閉鎖するよう駆動されることを特徴とする。
【００１４】
かかる構成によれば、ダンパが、トイレルーム脱臭を行える状態で常時付勢されており、トイレルーム脱臭に比べて稼働時間が短い便鉢脱臭を行う場合のみ駆動されるため、ダンパを駆動するための動力が少なくて済み、省エネ化を図ることができる。
【００１５】
また、上記した衛生洗浄装置では、前記送風部における空気の出口が前記第１脱臭フィルタへ向けて開口していることを特徴とする。
【００１６】
かかる構成によれば、送風部における空気の出口が第１脱臭フィルタへ向けて開口しているため、短時間で瞬間的に脱臭する必要がある便鉢脱臭を行う場合に、第１脱臭フィルタへ向かう空気の圧損を抑えることができる。
【００１７】
また、上記した衛生洗浄装置では、前記第２ダクトは、前記ダンパよりも前記空気の流れ方向の下流において風路が狭められていることを特徴とする。
【００１８】
かかる構成によれば、ダンパよりも下流で風路が狭められているため、第２ダクト内を流れる空気に対して圧損を生じさせることができる。このように、第２ダクトにおいて意図的に風量を低下させることで、送風部を細かく制御することなく、トイレルーム脱臭に適した風量を得ることができる。これにより、装置構成を簡素化することができ、また、送風部の制御が不要となることから、送風部の誤作動を抑えることができる。
【００１９】
また、実施形態の一態様に係る衛生洗浄装置は、ケーシングと、前記ケーシング内に設けられ、便鉢脱臭およびトイレルーム脱臭を行う脱臭ユニットとを備え、前記脱臭ユニットは、空気を吸引する１つの送風部と、前記送風部によって吸引された空気を排気口へ導くダクトと、前記ダクト内に設けられ、便鉢内の空気を脱臭する第１脱臭フィルタと、前記ダクト内における前記第１脱臭フィルタよりも空気の流れ方向の上流または下流に設けられ、トイレルーム内の空気を脱臭する第２脱臭フィルタとを備えることを特徴とする。
【００２０】
かかる構成によれば、便鉢脱臭およびトイレルーム脱臭において送風部が共用化されるとともにダクトも共有化され、送風部およびダクトをそれぞれ１つずつ設ければ済むため、脱臭ユニットを小型化することができる。これにより、装置全体の小型化を図ることができる。
【００２１】
また、上記した衛生洗浄装置では、前記第２脱臭フィルタは、前記ダクト内における前記第１脱臭フィルタよりも前記空気の流れ方向の下流に設けられ、前記第１脱臭フィルタよりも目が粗いことを特徴とする。
【００２２】
かかる構成によれば、ダクト内を流れる空気を、目が細かい、すなわち、圧損が大きい第１脱臭フィルタから先に通過させることで、送風部からの空気を整流することができ、第１脱臭フィルタよりも目が粗い、すなわち、圧損が小さい第２脱臭フィルタの空気を受ける面の全域に対して空気を通過させることができる。
【００２３】
また、上記した衛生洗浄装置では、便蓋と、前記便蓋を開閉する電動開閉ユニットとをさらに備え、前記電動開閉ユニットは、前記送風部から前記第２脱臭フィルタへ向けて空気が流れる場合には前記便蓋を開放し、前記脱臭ユニットは、前記送風部における前記空気の流れ方向の上流に設けられ、前記便鉢内において開口する１つの吸気口を備えることを特徴とする。
【００２４】
かかる構成によれば、便鉢脱臭およびトイレルーム脱臭を行うための吸気口を共用することができ、装置をさらに小型化することができる。
【００２５】
また、上記した衛生洗浄装置では、前記脱臭ユニットは、前記送風部における前記空気の流れ方向の上流に設けられ、前記便鉢内において開口する第１吸気口と、前記送風部における前記空気の流れ方向の上流に設けられ、前記トイレルームへ向けて開口する第２吸気口と、前記送風部から前記第２脱臭フィルタへ向けて空気が流れる場合には前記第１吸気口を閉鎖するシャッタとを備えることを特徴とする。
【００２６】
かかる構成によれば、トイレルーム脱臭においてトイレルーム内の空気を吸い込む場合には便鉢内にある吸気口（第１吸気口）を閉鎖するため、便鉢内の空気がトイレルーム内へ排出されるのを抑制することができる。
【発明の効果】
【００２７】
実施形態の一態様によれば、小型化を図ることができる。
【図面の簡単な説明】
【００２８】
【図１】図１は、第１の実施形態に係る衛生洗浄装置を備えるトイレ装置の斜視図である。
【図２】図２は、第１の実施形態に係る衛生洗浄装置の組み立て斜視図である。
【図３】図３は、第１の実施形態に係る衛生洗浄装置の要部構成を示すブロック図である。
【図４】図４は、第１の実施形態に係る衛生洗浄装置の模式的な平面図である。
【図５】図５は、第１の実施形態における脱臭ユニットの説明図である。
【図６Ａ】図６Ａは、脱臭ユニットにおける第１脱臭部の脱臭動作の説明図である。
【図６Ｂ】図６Ｂは、脱臭ユニットにおける第２脱臭部の脱臭動作の説明図である。
【図７】図７は、ダンパ駆動制御の処理手順を示すフローチャートである。
【図８】図８は、ダンパ駆動制御の他の例の説明図である。
【図９】図９は、第２の実施形態における脱臭ユニットの説明図である。
【図１０】図１０は、脱臭ユニットにおける脱臭動作の説明図である。
【図１１】図１１は、実施形態に係る衛生洗浄装置の変形例（その１）の説明図である。
【図１２】図１２は、実施形態に係る衛生洗浄装置の変形例（その２）の説明図である。
【発明を実施するための形態】
【００２９】
以下、添付図面を参照して、本願の開示する衛生洗浄装置の実施形態を詳細に説明する。なお、以下に示す実施形態によりこの発明が限定されるものではない。
【００３０】
＜１．第１の実施形態＞
＜１−１．トイレ装置＞
まず、図１を参照して第１の実施形態に係る衛生洗浄装置１０を備えるトイレ装置１について説明する。図１は、第１の実施形態に係る衛生洗浄装置を備えるトイレ装置１の斜視図である。なお、図１には、説明の便宜上、鉛直上向きを正方向とするＺ軸を含む３次元の直交座標系を図示している。直交座標系は、他の図においても図示している場合がある。
【００３１】
直交座標系は、Ｘ軸の正方向を「右方」と規定し、Ｘ軸の負方向を「左方」と規定し、Ｙ軸の正方向を「後方」と規定し、Ｙ軸の負方向を「前方」と規定している。また、直交座標系は、Ｚ軸の正方向を「上方」と規定し、Ｚ軸の負方向を「下方」と規定している。このため、以下の説明では、Ｘ軸方向を左右方向、Ｙ軸方向を前後方向、Ｚ軸方向を上下方向という場合がある。
【００３２】
図１に示すように、トイレ装置１は、トイレルーム１００内に設置される。トイレ装置１は、洋式便器（以下、便器という）２と、衛生洗浄装置１０とを備える。便器２は、たとえば、陶器製である。便器２には、便鉢２ａが形成される。便鉢２ａは、下方に凹んだ形状であり、使用者の排泄物を受ける部位である。なお、便器２は、図示のような床置き式に限らず、壁掛け式でもよい。
【００３３】
なお、トイレ装置１は、たとえば、便器２の後部に洗浄水を貯留する洗浄水タンクが設置されてもよいし、洗浄水タンクが設置されない、いわゆるタンクレス式でもよい。また、トイレ装置１は、たとえば、サイホン作用を利用して便鉢２ａ内の汚物を引き込んでトラップ管路から排出する、いわゆるサイホン式でもよいし、たとえば、便鉢２ａ内の洗浄水の落差による流水作用で汚物を押し流す、いわゆる洗い落し式でもよい。
【００３４】
衛生洗浄装置１０は、便器２の上面後部に取り付けられ、本体部１１と、便座１２と、便蓋１３とを備える。なお、衛生洗浄装置１０は、便器２と一体化するように取り付けられてもよいし、便器２に対して着脱可能に取り付けられてもよい。また、衛生洗浄装置１０は、トイレルーム１００の壁面に設置された操作部５１が使用者によって操作されると、たとえば、便蓋１３を開閉したり、後述する機能部の各種機能を動作させる。
【００３５】
＜１−２．衛生洗浄装置＞
次に、図２〜図４を参照して第１の実施形態に係る衛生洗浄装置１０について説明する。図２は、第１の実施形態に係る衛生洗浄装置１０の組み立て斜視図である。図３は、第１の実施形態に係る衛生洗浄装置１０の要部構成を示すブロック図である。図４は、第１の実施形態に係る衛生洗浄装置１０の模式的な平面図である。上記したように、衛生洗浄装置１０は、本体部１１と、便座１２と、便蓋１３とを備える。
【００３６】
図２に示すように、便座１２および便蓋１３は、それぞれの後部が本体部１１に軸支され、本体部１１に対して上下方向に揺動可能に取り付けられる。なお、便蓋１３は、衛生洗浄装置１０に必要に応じて取り付けられ、省略可能である。本体部１１は、ケーシング１４と、ノズルユニット１５とを備える。ケーシング１４は、カバー１４ａと、ベースプレート１４ｂとを備える。ケーシング１４は、ノズルユニット１５を含む水路系、および機能部を収容する。
【００３７】
ノズルユニット１５は、洗浄ノズル１５ａを備える。洗浄ノズル１５ａは、図示しない電動モータなどの駆動源の駆動により、ケーシング１４に対して進退可能である。また、洗浄ノズル１５ａは、図示しない水道管などの水源に接続される。洗浄ノズル１５ａは、ケーシング１４に対して進出している場合に、水源からの水を使用者の身体へ噴出させて局部を洗浄する。
【００３８】
このように、衛生洗浄装置１０は、使用者の局部を洗浄する機能を有する。なお、衛生洗浄装置１０は、局部洗浄機能の他、たとえば、便座１２に着座した使用者のおしりなどに温風を吹き付けて乾燥させる乾燥機能や、便座１２の着座面を適温に温める便座暖房機能を有してもよい。
【００３９】
衛生洗浄装置１０は、水路系と、機能部とを、ケーシング１４内に備える。図３および図４に示すように、衛生洗浄装置１０は、水路系として、ベースプレート１４ｂ上に配置される、ノズルユニット１５と、洗浄水供給部２０と、ノズル洗浄室２７と、噴霧ノズル２８とを備える。衛生洗浄装置１０は、機能部として、ベースプレート１４ｂ上に配置される脱臭ユニット４０を備える。
【００４０】
また、衛生洗浄装置１０は、上記した水路系および機能部の他、人体検知センサ２９と、着座検知センサ３０と、制御部５０とをさらに備える。
【００４１】
洗浄水供給部２０は、流路開閉弁２１と、熱交換器２２と、電解槽２３と、大気解放式のバキュームブレーカ（ＶＢ）２４と、電磁ポンプ２５と、流調・流路切替弁２６とを備える。流路開閉弁２１は、開閉可能な電磁バルブであり、制御部５０からの指令に基づいて、洗浄水の供給を制御する。流路開閉弁２１は、給水源から供給される洗浄水の給水と止水とを切り替える。
【００４２】
熱交換器２２は、流路開閉弁２１の下流に設けられる。熱交換器２２は、ヒータにより、給水源から供給された洗浄水を加熱して、たとえば、規定の温度まで上昇させる。熱交換器２２は、給水源から供給された洗浄水を、設定された温度の温水に変換する。なお、熱交換器２２は、たとえば、セラミックヒータなどを用いた瞬間加熱式の熱交換器でもよいし、貯湯タンクを用いた貯湯加熱式の熱交換器でもよい。熱交換器２２は、使用者が操作部５１を操作することにより、温水温度が設定される。
【００４３】
電解槽２３は、熱交換器２２の下流に設けられる。電解槽２３は、一対の電極を有し、制御部５０から出力された通電指令に基づいて、電極間に流れる洗浄水（水道水）を電気分解する。電解槽２３は、洗浄水に含まれる塩素イオンを電気分解することにより、次亜塩素酸（ＨＣｌＯ）を含む水（以下、機能水という）を生成する。
【００４４】
電解槽２３を通過した洗浄水や電解槽２３において生成された機能水は、電磁ポンプ２５を介して、ノズルユニット１５の洗浄ノズル１５ａへ送られる。電磁ポンプ２５は、たとえば、洗浄ノズル１５ａに供給される洗浄水に脈動を与える。
【００４５】
図３に示すように、洗浄ノズル１５ａは、噴水部１６を備える。噴水部１６は、たとえば、おしり洗浄噴水孔１６ａ、おしりソフト噴水孔１６ｂ、ビデ洗浄噴水孔１６ｃを備える。また、洗浄ノズル１５ａは、複数の流路ＦＣを備える。洗浄ノズル１５ａは、各流路ＦＣのそれぞれから供給された洗浄水を吐出可能である。
【００４６】
流調・流路切替弁２６は、電磁ポンプ２５と洗浄ノズル１５ａとの間に設けられ、電磁ポンプ２５を介して供給された洗浄水または機能水の行き先を、たとえば、洗浄ノズル１５ａにおける、おしり洗浄、おしりソフト、ビデ洗浄へ向けた各流路ＦＣ、ノズル洗浄室２７、噴霧ノズル２８、脱臭ユニット４０のいずれかに切り替える。
【００４７】
図３に示すように、ノズル洗浄室２７は、洗浄吐水部２７ａを備える。ノズル洗浄室２７は、洗浄吐水部２７ａから洗浄水または機能水を吐出する。ノズル洗浄室２７は、洗浄ノズル１５ａの外周面の洗浄、いわゆる胴体洗浄を行う。噴霧ノズル２８は、便器２の便鉢２ａ（図１参照）の表面に洗浄水または機能水を噴霧する。
【００４８】
図３に示すように、人体検知センサ２９は、たとえば、赤外線信号を用いた焦電センサであり、トイレ装置１（図１参照）が設置されたトイレルーム１００（図１参照）内に入室した人（使用者など）を検知する。人体検知センサ２９は、検知信号を制御部５０へ出力する。
【００４９】
また、図３に示すように、着座検知センサ３０は、たとえば、赤外線投受光式の測距センサであり、人（使用者）が便座１２（図１参照）に着座する直前において便座１２の上方に存在する人体や、便座１２に着座した使用者を検知する。言い換えると、着座検知センサ３０は、使用者が便座１２に着座したことを検知する。着座検知センサ３０は、着座検知信号を制御部５０へ出力する。
【００５０】
脱臭ユニット４０は、便鉢２ａ（図１参照）内およびトイレルーム１００（図１参照）内の空気を吸い込み、吸い込んだ空気に含まれる臭気を吸収または分解し、ケーシング１４の外部（トイレルーム１００内）へ排出する。脱臭ユニット４０は、第１脱臭部４１と、第２脱臭部４２と、送風部４３と、ダンパ４４とを備える。第１脱臭部４１は、便鉢２ａ内の脱臭を行う。第２脱臭部４２は、トイレルーム１００内の脱臭を行う。
【００５１】
第１脱臭部４１は、便鉢２ａ内の空気を吸引し、吸引した空気に含まれる臭気（大便臭）を低減させた後、トイレルーム１００内へ排出する。このように、第１脱臭部４１は、便鉢２ａ内の脱臭を行う。なお、第１脱臭部４１は、制御部５０からの指令に基づいて、便鉢２ａ内の脱臭を行う。第１脱臭部４１は、たとえば、着座検知センサ３０によって使用者が便座１２から離れたことが検知された場合に、所定時間動作される。
【００５２】
第１脱臭部４１は、第１ダクト４１１と、第１脱臭フィルタ４１２とを備える。また、第１脱臭部４１は、後述する第２脱臭部４２と共通の吸気口４５と、第１排気口４１３（いずれも、図５参照）とを備える。
【００５３】
第２脱臭部４２は、トイレルーム１００内の空気を吸引し、吸引した空気に含まれる臭気、具体的には、トイレルーム１００内の常在臭となるアンモニア（ＮＨ３）やトリメチルアミン（（ＣＨ３）３Ｎ）などの悪臭成分を吸着して捕集または分解する。なお、トイレルーム１００内の空気とは、便器２の外部の空気（便鉢２ａ内以外の空気）をいう。
【００５４】
第２脱臭部４２は、第２ダクト４２１と、第２脱臭フィルタ４２２と、第１脱臭部４１と共通の吸気口４５と、第２排気口４２３と、集塵フィルタ４２４と、噴霧部４２５と、排水部４２６とを備える。集塵フィルタ４２４は、後述する送風部４３によって吸引された空気に含まれる塵埃を捕集する。集塵フィルタ４２４により、送風部４３に塵埃が付着することを抑えることができる。
【００５５】
噴霧部４２５は、たとえば、第２脱臭フィルタ４２２の上方に設けられ、制御部５０からの指令に基づいて、流調・流路切替弁２６から供給された洗浄水や機能水を第２脱臭フィルタ４２２へ向けて噴霧する。排水部４２６は、たとえば、第２脱臭フィルタ４２２の下方に設けられ、噴霧部４２５から噴霧され第２脱臭フィルタ４２２から排出される洗浄水または機能水を受ける。
【００５６】
送風部（以下、ファンという）４３は、脱臭ユニット４０に１つ設けられる。ファン４３は、上記したように、便鉢２ａ（図１参照）内またはトイレルーム１００（図１参照）内の空気を吸引する。ファン４３は、たとえば、樹脂製のシロッコファンであり、複数の羽が回転することで空気を吸引し、吸引した空気をトイレルーム１００内へ排出する。なお、ファン４３は、シロッコファンに限定されない。
【００５７】
ダンパ４４は、たとえば、板状の部材であり、第１ダクト４１１または第２ダクト４２１の少なくとも一部を閉鎖する。また、ダンパ４４は、制御部５０からの指令に基づいて、ダンパ駆動部４４１によって開閉駆動される。
【００５８】
また、衛生洗浄装置１０は、便蓋１３を備える場合、便蓋１３を開閉駆動する電動開閉ユニット６０（図１１参照）を備える。電動開閉ユニット６０は、たとえば、人体検知センサ２９が人体を検知すると、便蓋１３を開き、人体検知センサ２９が人体を検知しなくなると、便蓋１３を閉じる。
【００５９】
＜１−３．脱臭ユニットの構成＞
次に、図５を参照して第１の実施形態における脱臭ユニット４０の構成についてさらに説明する。図５は、第１の実施形態における脱臭ユニット４０の説明図である。図５に示し、かつ、上記したように、脱臭ユニット４０は、第１脱臭部４１と、第２脱臭部４２と、送風部であるファン４３と、ダンパ４４とを備える。
【００６０】
第１脱臭部４１は、便鉢２ａ（図１参照）内の脱臭を行う。第１脱臭部４１は、第１ダクト４１１と、第１脱臭フィルタ４１２と、吸気口４５と、第１排気口４１３とを備える。第１ダクト４１１は、ファン４３に吸引されることで吸気口４５から吸い込まれた空気が流れる風路であり、吸い込まれた空気を第１排気口４１３へ導く。
【００６１】
第１脱臭フィルタ４１２は、第１ダクト４１１内において風路を遮るように設けられる。第１脱臭フィルタ４１２は、たとえば、多孔質構造を有し、上記したように、便鉢２ａ（図１参照）内の空気を脱臭する。
【００６２】
第２脱臭部４２は、第２ダクト４２１と、第２脱臭フィルタ４２２と、吸気口４５と、第２排気口４２３とを備える。第２ダクト４２１は、第１ダクト４１１から分岐して第１ダクト４１１とは別の風路を形成している。第２ダクト４２１は、ファン４３に吸引されることで第１脱臭部４１と共通の吸気口４５から吸い込まれた空気が流れる風路であり、吸い込まれた空気を第２排気口４２３へ導く。
【００６３】
また、第２ダクト４２１は、ダンパ４４よりも空気の流れ方向の下流において第２ダクト４２１による風路を狭めるようにリブ状に設けられた絞り部４２４を備える。
【００６４】
このように、ダンパ４４よりも下流で風路が狭められているため、第２ダクト４２１内を流れる空気に対して圧損を生じさせることができる。第２ダクト４２１において意図的に風量を低下させることで、ファン４３を細かく制御することなく、トイレルーム脱臭に適した風量を得ることができる。これにより、装置構成を簡素化することができ、また、ファン４３の制御が不要となることから、ファン４３の誤作動を抑えることができる。
【００６５】
第２脱臭フィルタ４２２は、第２ダクト４２１内において風路を遮るように設けられる。第２脱臭フィルタ４２２は、たとえば、多孔質構造を有し、上記したように、トイレルーム１００（図１参照）内の空気を脱臭する。また、第１脱臭フィルタ４１２と第２脱臭フィルタ４２２とは、並列に配置される。
【００６６】
ファン４３は、上記したように、脱臭ユニット４０に対して１つであり、第１脱臭部４１および第２脱臭部４２で共用される。また、ファン４３は、空気の出口４３１が、第１脱臭フィルタ４１２と対向するように、第１脱臭フィルタ４１２へ向けて開口している。
【００６７】
このように、ファン４３の空気の出口４３１が第１脱臭フィルタ４１２へ向けて開口していることで、短時間で瞬間的に脱臭する必要がある便鉢脱臭を行う場合に、第１脱臭フィルタ４１２へ向かう空気の圧損を抑えることができる。
【００６８】
ダンパ４４は、第１脱臭フィルタ４１２および第２脱臭フィルタ４２２よりも空気の流れ方向の上流に設けられる。ダンパ４４は、ダンパ駆動部４４１によって開閉駆動され、風路を切り替える。ダンパ４４は、上記したように、第１ダクト４１１または第２ダクト４２１の少なくとも一部を閉鎖する。ダンパ４４は、たとえば、第１ダクト４１１または第２ダクト４２１を、完全に閉鎖（全閉鎖）することもあれば、一部開放しつつ閉鎖（一部閉鎖）することもある。
【００６９】
また、ダンパ４４は、第１ダクト４１１を閉鎖するよう、すなわち、第１ダクト４１１を閉鎖する方向に常時付勢されている。ダンパは、ダンパ駆動部４４１によって駆動されない場合には第１ダクト４１１を閉鎖し、ダンパ駆動部４４１によって駆動されると、付勢力に抗して第２ダクト４２１を閉鎖する。このため、ダンパ４４は、駆動停止されると、付勢力によって自動的に第１ダクト４１１を閉鎖する。これにより、ダンパ４４駆動のための動力が少なくて済み、省エネ化が可能となる。
【００７０】
＜１−４．脱臭ユニットの脱臭動作＞
次に、図６Ａおよび図６Ｂを参照して脱臭ユニット４０の脱臭動作について説明する。図６Ａは、脱臭ユニット４０における第１脱臭部４１の脱臭動作の説明図である。図６Ｂは、脱臭ユニット４０における第２脱臭部４２の脱臭動作の説明図である。なお、図６Ａおよび図６Ｂには、空気の流れを白抜きの矢線で示している。
【００７１】
図６Ａに示すように、脱臭ユニット４０において便鉢脱臭を行う場合には、ダンパ４４がダンパ駆動部４４１（図５参照）によって駆動され、第２ダクト４２１を閉鎖する。これにより、第１ダクト４１１による風路が形成される。また、図６Ｂに示すように、脱臭ユニット４０においてトイレルーム脱臭を行う場合には、ダンパ４４が、ダンパ駆動部４４１による駆動が停止され、付勢力によって移動して第１ダクト４１１を閉鎖する。
【００７２】
＜１−５．ダンパ駆動制御＞
ここで、図７を参照してダンパ駆動制御の処理手順の一例について説明する。図７は、ダンパ駆動制御の処理手順を示すフローチャートである。使用者が入室していないような平常時には、脱臭ユニット４０によるトイレルーム脱臭が行われる場合がある。図７に示すように、ダンパ４４は、第１ダクト４１１を閉鎖するとともに、第２ダクト４２１を開放する（ステップＳ１０１）。
【００７３】
制御部５０は、着座検知センサ３０による使用者の着座が検知されたか否かを判定する（ステップＳ１０２）。制御部５０は、着座検知センサ３０が着座を検知した場合（ステップＳ１０２：Ｙｅｓ）には、ダンパ駆動部４４１を介してダンパ４４を駆動させる（ステップＳ１０３）。
【００７４】
この場合、制御部５０は、着座検知センサ３０が着座を検知したときに、ファン４３によって空気が吸引されている場合は、空気の吸引を一時停止、つまり、ファン４３の駆動を一時停止させる。続いて、ダンパ４４は、付勢力に抗しつつ移動して第２ダクト４２１を閉鎖する（ステップＳ１０４）。
【００７５】
ここで、制御部５０は、ファン４３を一時停止させていた場合には、ステップＳ１０４のタイミング、つまり、ダンパ４４が第２ダクト４２１の閉鎖が完了してから、空気の吸引を再開させる（ファン４３を再駆動させる）。ダンパ４４が第２ダクト４２１を閉鎖することで、第１ダクト４１１による風路が形成され、制御部５０は、便鉢２ａ内の脱臭を行う。
【００７６】
制御部５０は、便鉢２ａ内の脱臭を開始してから所定時間が経過すると、ダンパ駆動部４４１によるダンパ４４の駆動を停止する（ステップＳ１０５）。ダンパ４４は、ダンパ駆動部４４１による駆動が停止されると、付勢力により第１ダクト４１１を閉鎖する方向へ移動して第１ダクト４１１を閉鎖するとともに、第２ダクト４２１を開放し（ステップＳ１０６）、トイレルーム１００内の脱臭を行える状態となる。
【００７７】
なお、ステップＳ１０２の処理において、着座検知センサ３０が着座を検知しない場合（ステップＳ１０２：Ｎｏ）には、着座検知するまでステップＳ１０２の処理を繰り返す。
【００７８】
第１の実施形態に係る衛生洗浄装置１０によれば、便鉢脱臭およびトイレルーム脱臭において送風部であるファン４３が共用化されることで、ファン４３を１つ設ければ済むため、脱臭ユニット４０を小型化することができる。これにより、装置全体の小型化を図ることができる。
【００７９】
また、着座検知センサ３０が着座を検知しない場合にはトイレルーム脱臭を行える状態でダンパ４４が第１ダクト４１１を閉鎖し、着座検知センサ３０が着座を検知した場合のみ、すなわち、便鉢脱臭を行う場合のみダンパ４４が動作すればよいため、ダンパ４４の動作回数を抑えることができる。
【００８０】
また、ファン４３による空気の吸引中にはダンパ４４が動作しないため、騒音の発生を抑えることができる。また、ダンパ４４が、トイレルーム脱臭を行える状態で常時付勢されており、トイレルーム脱臭に比べて稼働時間が短い便鉢脱臭を行う場合のみ駆動されるため、ダンパ４４を駆動するための動力が少なくて済み、省エネ化を図ることができる。
【００８１】
なお、図８は、ダンパ駆動制御の他の例の説明図である。図８に示すように、ダンパ４４を、着座検知センサ３０（図３参照）が着座検知した場合に、第１ダクト４１１および第２ダクト４２１を一部閉鎖するような中間位置で停止させるよう駆動制御してもよい。これにより、第１ダクト４１１および第２ダクト４２１の両方に空気が流れるように構成することができる。
【００８２】
＜２．第２の実施形態＞
＜２−１．脱臭ユニット＞
次に、図９および図１０を参照して第２の実施形態に係る衛生洗浄装置における脱臭ユニット４０Ａについて説明する。なお、第２の実施形態に係る衛生洗浄装置は、上記した第１の実施形態に係る衛生洗浄装置１０とは、脱臭ユニット４０Ａが異なる。図９は、第２の実施形態における脱臭ユニット４０Ａの説明図である。図１０は、脱臭ユニット４０Ａにおける脱臭動作の説明図である。
【００８３】
図９に示すように、第２の実施形態における脱臭ユニット４０Ａは、第１脱臭部４１Ａと、第２脱臭部４２Ａと、送風部（ファン）４３と、吸気口４５Ａと、ダクト４６Ａと、排気口４７Ａとを備える。第１脱臭部４１Ａは、便鉢２ａ（図１参照）内の脱臭を行う。第１脱臭部４１Ａは、第１脱臭フィルタ４１２Ａを備える。
【００８４】
送風部であるファン４３は、空気を吸引し、上記した第１の実施形態と同様、１つ設けられる。ダクト４６Ａは、１つの風路を形成し、ファン４３によって吸引された空気を排気口４７Ａへ導く。
【００８５】
第１脱臭フィルタ４１２は、ダクト４６Ａ内において風路を遮るように設けられる。第１脱臭フィルタ４１２Ａは、たとえば、多孔質構造を有し、便鉢２ａ内の空気を脱臭する。
【００８６】
第２脱臭部４２Ａは、トイレルーム１００（図１参照）内の脱臭を行う。第２脱臭部４２Ａは、第２脱臭フィルタ４２２Ａを備える。第２脱臭フィルタ４２２Ａは、ダクト４６Ａ内において風路を遮るように設けられる。
【００８７】
また、第２脱臭フィルタ４２２Ａは、ダクト４６Ａ内において、第１脱臭フィルタ４１２Ａの空気の流れ方向の上流または下流に設けられ、好ましくは、第１脱臭フィルタ４１２Ａよりも上流に設けられる。第１脱臭フィルタ４１２Ａと第２脱臭フィルタ４２２Ａとは、ダクト４６Ａ内において直列に配置される。
【００８８】
第２脱臭フィルタ４２２Ａは、たとえば、多孔質構造を有し、トイレルーム１００内の空気を脱臭する。また、第２脱臭フィルタ４２２Ａは、第１脱臭フィルタ４１２Ａよりもフィルタの目が粗い。
【００８９】
図１０に示すように、第１脱臭フィルタ４１２Ａは、第２脱臭フィルタ４２２Ａよりも圧損が大きいため、ファン４３によって吸引され吸気口４５Ａから吸い込まれた空気は、フィルタの目が細かい、すなわち、圧損が大きい第１脱臭フィルタ４１２Ａの空気を受ける面の全域に広がりながら、第１脱臭フィルタ４１２Ａを通過する。
【００９０】
第１脱臭フィルタ４１２Ａを通過した空気は、第１脱臭フィルタ４１２Ａの面方向に均すように整流される。整流されて第１脱臭フィルタ４１２Ａを通過した空気は、第１脱臭フィルタ４１２Ａよりも目が粗い第２脱臭フィルタ４２２Ａを通過して、排気口４７Ａから排出される。
【００９１】
第２の実施形態に係る衛生洗浄装置によれば、便鉢脱臭およびトイレルーム脱臭においてファン４３が共用化されるとともにダクト４６Ａも共有化され、ファン４３およびダクト４６Ａをそれぞれ１つずつ設ければ済むため、脱臭ユニット４０Ａを小型化することができる。これにより、装置全体の小型化を図ることができる。
【００９２】
また、ダクト４６Ａ内を流れる空気を、目が細かい、すなわち、圧損が大きい第１脱臭フィルタ４１２Ａから先に通過させることで、ファン４３からの空気を整流することができ、第１脱臭フィルタ４１２Ａよりも目が粗い、すなわち、圧損が小さい第２脱臭フィルタ４２２Ａの空気を受ける面の全域に対して空気を通過させることができる。
【００９３】
なお、本構成は、ファン４３の空気の出口４３１における風路断面積よりも、第１脱臭フィルタ４１２Ａの空気を受ける面の断面積が大きい場合、つまり、ファン４３から第１脱臭フィルタ４１２Ａに向けて風路が広がっている場合に、より好適である。
【００９４】
また、便鉢２ａ内の空気を脱臭する第１脱臭フィルタ４１１２Ａが第２脱臭フィルタ４２２Ａよりも上流に配置されるため、便鉢２ａ内の空気（すなわち、大便臭含む空気）に対する二重フィルタを形成することができる。
【００９５】
＜３．変形例＞
次に、図１１および図１２を参照して衛生洗浄装置１０の変形例について説明する。なお、図１１および図１２に示す変形例は、上記した第１の実施形態および第２の実施形態の両方に適応可能な構成である。
【００９６】
図１１に示す変形例では、脱臭ユニットは、送風部であるファンよりも空気の流れ方向の上流に設けられた１つの吸気口４５Ｂを備える。吸気口４５Ｂは、第１脱臭部および第２脱臭部の共通の吸気口であり、便鉢２ａ内に開口している。
【００９７】
また、かかる変形例では、便蓋１３を開閉駆動する電動開閉ユニット６０は、ファンから第２脱臭フィルタへ向けて空気が流れる場合、すなわち、トイレルーム脱臭を行う場合には、便蓋１３を開放駆動する。
【００９８】
図１１に示す変形例によれば、第１脱臭部および第２脱臭部の共通の吸気口４５Ｂを便鉢２ａ内に配置することで、吸気口４５Ｂを、便鉢脱臭およびトイレルーム脱臭の場合において共用化することができ、衛生洗浄装置１０をさらに小型化することができる。
【００９９】
また、図１２に示す変形例では、脱臭ユニットは、第１吸気口４５Ｃと、シャッタ４５１Ｃと、第２吸気口４５Ｄとを備える。第１吸気口４５Ｃは、送風部であるファンよりも空気の流れ方向の上流に設けられる。第１吸気口４５Ｃは、便鉢脱臭を行う場合に空気を吸い込む吸気口であり、便鉢２ａ内において開口している。
【０１００】
シャッタ４５１Ｃは、第１吸気口４５Ｃに設けられる。シャッタ４５１Ｃは、ファンから第２脱臭フィルタへ向けて空気が流れる場合には第１吸気口４５Ｃを閉鎖するよう制御部５０（図３参照）により駆動制御される。
【０１０１】
第２吸気口４５Ｄは、ファンよりも空気の流れ方向の上流に設けられる。第２吸気口４５Ｄは、トイレルーム脱臭を行う場合に空気を吸い込む吸気口であり、トイレルーム１００（図１参照）へ向けて開口している。
【０１０２】
図１２に示す変形例によれば、トイレルーム脱臭においてトイレルーム１００内の空気を吸い込む場合には便鉢２ａ内にある第１吸気口４５Ｃをシャッタ４５１Ｃで閉鎖するため、便鉢２ａ内の空気がトイレルーム１００内へ排出されるのを抑制することができる。
【０１０３】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【０１０４】
２    便器
２ａ  便鉢
１０    衛生洗浄装置
１３    便蓋
１４    ケーシング
３０    着座検知センサ
４０    脱臭ユニット
４０Ａ  脱臭ユニット
４１１    第１ダクト
４１２    第１脱臭フィルタ
４１２Ａ  第１脱臭フィルタ
４１３    第１排気口
４２１    第２ダクト
４２２    第２脱臭フィルタ
４２２Ａ  第２脱臭フィルタ
４２３    第２排気口
４３    送風部（ファン）
４３１    出口
４４    ダンパ
４５Ｂ  吸気口
４５Ｃ  第１吸気口
４５１Ｃ  シャッタ
４５Ｄ  第２吸気口
４６Ａ  ダクト
６０    電動開閉ユニット
１００    トイレルーム
【図１】
2020051148.tif 000003
【図２】
2020051148.tif 000004
【図３】
2020051148.tif 000005
【図４】
2020051148.tif 000006
【図５】
2020051148.tif 000007
【図６Ａ】
2020051148.tif 000008
【図６Ｂ】
2020051148.tif 000009
【図７】
2020051148.tif 000010
【図８】
2020051148.tif 000011
【図９】
2020051148.tif 000012
【図１０】
2020051148.tif 000013
【図１１】
2020051148.tif 000014
【図１２】
2020051148.tif 000015